【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
投稿者と当該投稿者のカテゴリとを対応付けた教師データを記憶し、投稿者に関する情報に基づき当該投稿者を各カテゴリに分類する情報処理装置であって、
投稿者に関する情報に基づき投稿者を各カテゴリに分類するためのルールの設定を受け付けるルール受付手段と、
前記教師データとして記憶された投稿者のうち、前記ルール受付手段により受け付けたルールに合致する投稿者の数を算出し、当該投稿者数の内訳を各カテゴリの割合として算出する算出手段と、
前記算出手段により算出された割合が所定の値を満たすカテゴリが存在しない場合、前記設定されたルールについて、投稿者をカテゴリ分類するルールとして不適切である旨を通知する通知手段と、
を備えることを特徴とする情報処理装置。
【請求項２】
前記ルール毎に、当該ルールに合致することのみで投稿者をカテゴリ分類する旨の設定を受け付ける受付手段をさらに備え、
前記通知手段は、さらに、
前記教師データとして記憶された投稿者のうち複数のカテゴリの投稿者が、前記受付手段により当該ルールに該当することのみで投稿者をカテゴリ分類する旨の設定を受け付けたルールに合致する場合、当該ルールを用いて分類を行うと誤分類をする可能性がある旨を通知することを特徴とする情報処理装置。
【請求項３】
前記受付手段により当該ルールに該当することのみで投稿者をカテゴリ分類する旨の設定を受け付けたルールについて、当該ルールに該当した場合にいずれのカテゴリに分類するかの選択を受け付けるカテゴリ選択受付手段をさらに備え、
前記通知手段は、さらに、
前記カテゴリ選択受付手段により選択を受け付けたカテゴリが、前記算出手段により算出された割合が最も高いカテゴリではない場合に、その旨を通知することを特徴とする請求項２に記載の情報処理装置。
【請求項４】
投稿内容に基づき投稿者を各カテゴリに分類するための辞書データを作成する辞書データ作成手段と、
分類済みの投稿者数の総和に対する各カテゴリに分類された投稿者の比率を算出する算出手段と、
投稿者に関する情報と前記ルールとを用いて算出された投稿者が各カテゴリに属する確率と、投稿内容と前記辞書データとを用いて算出された投稿者が各カテゴリに属する確率と、前記分類済みの投稿者数の総和に対する各カテゴリに分類された投稿者の比率に基づき算出された投稿者が各カテゴリに属する確率と、を用いて、未分類の投稿者をカテゴリに分類する分類手段と、
をさらに備えることを特徴とする請求項１乃至３のいずれか１項に記載の情報処理装置。
【請求項５】
投稿者と当該投稿者のカテゴリとを対応付けた教師データを記憶し、投稿者を各カテゴリに分類する情報処理装置であって、
投稿者に関する情報に基づき投稿者を各カテゴリに分類するためのルールの設定を受け付けるルール受付手段と、
投稿内容に基づき投稿者を各カテゴリに分類するための辞書データを作成する辞書データ作成手段と、
前記教師データとして記憶された分類済みの投稿者数の総和に対する各カテゴリに分類された投稿者の比率を算出する算出手段と、
投稿者に関する情報と前記ルールとを用いて算出された投稿者が各カテゴリに属する確率と、投稿内容と前記辞書データとを用いて算出された投稿者が各カテゴリに属する確率と、前記分類済みの投稿者数の総和に対する各カテゴリに分類された投稿者の比率に基づき算出された投稿者が各カテゴリに属する確率と、を用いて、未分類の投稿者をカテゴリに分類する分類手段と、
を備えることを特徴とする情報処理装置。
【請求項６】
投稿者と当該投稿者のカテゴリとを対応付けた教師データを記憶し、投稿者に関する情報に基づき当該投稿者を各カテゴリに分類する情報処理装置における情報処理方法であって、
前記情報処理装置のルール受付手段が、投稿者に関する情報に基づき投稿者を各カテゴリに分類するためのルールの設定を受け付けるルール受付工程と、
前記情報処理装置の算出手段が、前記教師データとして記憶された投稿者のうち、前記ルール受付工程により受け付けたルールに合致する投稿者の数を算出し、当該投稿者数の内訳を各カテゴリの割合として算出する算出工程と、
前記情報処理装置の通知手段が、前記算出工程により算出された割合が所定の値を満たすカテゴリが存在しない場合、前記設定されたルールについて、投稿者をカテゴリ分類するルールとして不適切である旨を通知する通知工程と、
を備えることを特徴とする情報処理方法。
【請求項７】
投稿者と当該投稿者のカテゴリとを対応付けた教師データを記憶し、投稿者を各カテゴリに分類する情報処理装置における情報処理方法であって、
前記情報処理装置のルール受付手段が、投稿者に関する情報に基づき投稿者を各カテゴリに分類するためのルールの設定を受け付けるルール受付工程と、
前記情報処理装置の辞書データ作成手段が、投稿内容に基づき投稿者を各カテゴリに分類するための辞書データを作成する辞書データ作成工程と、
前記情報処理装置の算出手段が、前記教師データとして記憶された分類済みの投稿者数の総和に対する各カテゴリに分類された投稿者の比率を算出する算出工程と、
前記情報処理装置の分類手段が、投稿者に関する情報と前記ルールとを用いて算出された投稿者が各カテゴリに属する確率と、投稿内容と前記辞書データとを用いて算出された投稿者が各カテゴリに属する確率と、前記分類済みの投稿者数の総和に対する各カテゴリに分類された投稿者の比率に基づき算出された投稿者が各カテゴリに属する確率と、を用いて、未分類の投稿者をカテゴリに分類する分類工程と、
を備えることを特徴とする情報処理方法。
【請求項８】
投稿者と当該投稿者のカテゴリとを対応付けた教師データを記憶し、投稿者に関する情報に基づき当該投稿者を各カテゴリに分類する情報処理装置において実行可能なプログラムであって、
前記情報処理装置を、
投稿者に関する情報に基づき投稿者を各カテゴリに分類するためのルールの設定を受け付けるルール受付手段と、
前記教師データとして記憶された投稿者のうち、前記ルール受付手段により受け付けたルールに合致する投稿者の数を算出し、当該投稿者数の内訳を各カテゴリの割合として算出する算出手段と、
前記算出手段により算出された割合が所定の値を満たすカテゴリが存在しない場合、前記設定されたルールについて、投稿者をカテゴリ分類するルールとして不適切である旨を通知する通知手段として機能させるためのプログラム。
【請求項９】
投稿者と当該投稿者のカテゴリとを対応付けた教師データを記憶し、投稿者を各カテゴリに分類する情報処理装置において実行可能なプログラムであって、
前記情報処理装置を、
投稿者に関する情報に基づき投稿者を各カテゴリに分類するためのルールの設定を受け付けるルール受付手段と、
投稿内容に基づき投稿者を各カテゴリに分類するための辞書データを作成する辞書データ作成手段と、
前記教師データとして記憶された分類済みの投稿者数の総和に対する各カテゴリに分類された投稿者の比率を算出する算出手段と、
投稿者に関する情報と前記ルールとを用いて算出された投稿者が各カテゴリに属する確率と、投稿内容と前記辞書データとを用いて算出された投稿者が各カテゴリに属する確率と、前記分類済みの投稿者数の総和に対する各カテゴリに分類された投稿者の比率に基づき算出された投稿者が各カテゴリに属する確率と、を用いて、未分類の投稿者をカテゴリに分類する分類手段として機能させるためのプログラム。